(57)【要約】【課題】テープから物品が取り出されない確率を低くする。【解決手段】テープ(2)の長さ方向に配列された複数の物品(6)を取り出す物品取出装置(10)は、テープ(2)をテープ(2)の長さ方向に送るテープ送り機(19)と、外周面(41)を有し、その外周面(41)の周方向に配列される複数の吸着口(42)を有する吸引ホイール(40)と、吸引ホイール(40)を回転駆動する駆動部(65)と、を備える。吸引ホイール(40)の回転軸がテープ(2)に対して垂直な方向からテープ(2)側に傾斜する。吸引ホイール(40)の回転軸がテープ(2)の幅方向に対して傾斜する。吸引ホイール(40)の外周面(41)がテープ(2)に近接する。【選択図】図３
2019131362.tif 000002
【特許請求の範囲】
【請求項１】
テープの長さ方向に配列された複数の物品を取り出す物品取出装置であって、
前記テープを前記テープの長さ方向に送るテープ送り機と、
外周面を有し、その外周面の周方向に配列される複数の吸着口を有する吸引ホイールと、
前記吸引ホイールを回転駆動する駆動部と、を備え、
前記吸引ホイールの回転軸が前記テープに対して垂直な方向から前記テープの幅方向に対して傾斜し、
前記吸引ホイールの前記外周面が前記テープに近接する
物品取出装置。
【請求項２】
前記外周面が裁頭円錐面に形成されている
請求項１に記載の物品取出装置。
【請求項３】
前記テープを幅方向に延長させた延長面が、前記裁頭円錐面の頂点を通る
請求項２に記載の物品取出装置。
【請求項４】
前記回転軸が前記テープに対して垂直な方向から前記テープ側に４５°に傾斜するとともに、前記テープの幅方向に対して４５°に傾斜し、
前記裁頭円錐面の前記頂点の頂角が９０°である
請求項３に記載の物品取出装置。
【発明の詳細な説明】
【技術分野】
【０００１】
本発明は、テープの長さ方向に配列された複数の物品を取り出す物品取出装置に関する。
【背景技術】
【０００２】
従来、電子部品の保管及び在庫管理等のために、電子部品がラミネートされたキャリアテープ及びカバーテープに包装されている。キャリアテープには複数のポケットが長さ方向に配列されており、各ポケットに電子部品が収容され、カバーテープがポケットを覆うようにしてキャリアテープに貼り付けられている。
【０００３】
特許文献１には、カバーテープをキャリアテープから剥離しつつ、電子部品である物品をキャリアテープから取り出す装置が開示されている。以下、特許文献１に用いられた符号を括弧書きで表記し、特許文献１に記載の装置について説明する。
【０００４】
リール（１）に巻回されたテープ（２）は、キャリアテープ（３）にカバーテープ（４）が貼り付けられたものである。リール（１）から引き出されたテープ（２）は、ローラー（３２）、ローラー（３３）、ローラー（３４）の順に、こられローラー（３２〜３４）によって案内される。テープ（２）のうちカバーテープ（４）が、ローラー（３４）の上に設けられた剥離板によって折り返される。これにより、カバーテープ（４）がキャリアテープ（３）から剥離される。
【０００５】
剥離されたカバーテープ（４）は巻取リール（４９）に巻き取られる。剥離されたキャリアテープ（３）は、ローラー（３４）からローラー（３５）に掛け渡されて、巻取リール（３９）に巻き取られる。
【０００６】
ローラー（３４）とローラー（３５）の間の上方には、回転盤（７１）が設けられている。この回転盤（７１）の中心軸は、ローラー（３４）からローラー（３５）に掛け渡されたキャリアテープ（３）の側方に配置されている。この回転盤（７１）は、回転駆動機（８０）によって中心軸周りに回転駆動される。吸着ノズルである複数のピックアップ部（７２）は、回転盤（７１）から下方に向けて設けられている。これらピックアップ部（７２）は、周方向に沿って等間隔で配列されている。ピックアップ部（７２）がキャリアテープ（３）によって搬送される物品（６）の上に重なった時、その物品（６）がピップアップ部（７２）に吸着されて、取り出される。
【先行技術文献】
【特許文献】
【０００７】
【特許文献１】特開２０１６−２０４１０５号公報
【発明の概要】
【発明が解決しようとする課題】
【０００８】
特許文献１の記載の技術では、キャリアテープ（２）及び回転盤（７１）を上から見ると、キャリアテープ（３）によって搬送される物品（６）の直線状軌道は、旋回するピックアップ部（７２）の円弧状軌道の接線となる。回転盤（７１）の回転中、ピックアップ部（７２）は、前記直線状軌道を基準とした深い角度で、前記直線状軌道と前記円状軌道との接点を周方向に通過する。つまり、ピックアップ部（７２）が物品（６）の上に重なるのは一瞬である。それゆえ、物品（６）がピックアップ部（７２）に吸着されず、物品（６）が取り出されない確率が高くなる。
そこで、以上のような課題を解決することを目的とする。つまり、テープから物品が取り出されない確率を低くすることを目的とする。
【課題を解決するための手段】
【０００９】
以上の課題を解決するために、テープの長さ方向に配列された複数の物品を取り出す物品取出装置は、前記テープを前記テープの長さ方向に送るテープ送り機と、外周面を有し、その外周面の周方向に配列される複数の吸着口を有する吸引ホイールと、前記吸引ホイールを回転駆動する駆動部と、を備え、前記吸引ホイールの回転軸が前記テープに対して垂直な方向から前記テープの幅方向に対して傾斜し、前記吸引ホイールの前記外周面が前記テープに近接する。
【００１０】
以上によれば、吸引ホイールをテープの幅方向に見た場合、吸引ホイールの周は、テープに対して垂直な方向を短径とし、テープの長さ方向を長径とした楕円状となる。つまり、吸引ホイールをテープの幅方向に見た場合、吸着口の軌道が楕円状となる。
それゆえ、吸着口は、テープの長さ方向を基準として浅い角度でテープ近傍を周方向に通過する。よって、物品に吸着口に吸着されやすくなり、物品が取り出されない確率が低くなる。
【発明の効果】
【００１１】
本発明の実施態様によれば、物品に吸着口に吸着されやすくなり、物品が取り出されない確率が低くなる。
【図面の簡単な説明】
【００１２】
【図１】物品取出装置の前面図である。
【図２】物品取出装置の上面図である。
【図３】切断面III−IIIの断面図である。
【図４】切断面IV−IVの断面図である。
【図５】ラミネートテープ及びリールの斜視図である。
【発明を実施するための形態】
【００１３】
以下、図面を参照して、本発明の実施形態について説明する。以下に述べる実施形態には、本発明を実施するために技術的に好ましい種々の限定が付されているが、本発明の範囲を以下の実施形態及び図示例に限定するものではない。
【００１４】
１．  テープ及び供給源のリール
図５は、ラミネートテープ１及びリール２０の斜視図である。図５に示すようにラミネートテープ１がリール２０に巻回され、そのリール２０が図１に示す物品取出装置１０に装着される。
【００１５】
図５に示すように、このラミネートテープ１は細長い帯状の包装体であり、内容物としての複数の物品６がラミネートテープ１の長さ方向に配列された状態でラミネートテープ１に包装されている。ラミネートテープ１はキャリアテープとも称し、物品６を搬送するためのテープである。そのため、以下、ラミネートテープ１をキャリアテープ１と称する。また、物品６がＩＣチップであるので、以下、物品６をＩＣチップという。
【００１６】
キャリアテープ１は、ベーステープ２、カバーテープ３及び複数のＩＣチップ６を有する。ベーステープ２及びカバーテープ３は、一定幅で細長く帯状に形成された樹脂製又は紙製のものである。ベーステープ２には、複数の送り穴（perforations）５がベーステープ２の長さ方向に等間隔で配列されるように形成されている。ベーステープ２には、凹状の複数のポケット４がベーステープ２の長さ方向に等間隔で配列されるように形成されている。ポケット４はエンボス加工によって形成されるので、ベーステープ２はエンボステープとも称する。ポケット４には、ＩＣチップ６が収容されている。カバーテープ３がこれらポケット４を覆うようにしてベーステープ２に貼り付けられることによって、これらＩＣチップ６がキャリアテープ１に包装される。
【００１７】
２．  物品取出装置の概要
図１は、物品取出装置１０の正面図である。図２は、物品取出装置１０の平面図である。図３は、図１において切断箇所をIII−IIIによって表した切断面の断面図である。図４は、図３において切断箇所をIV−IVによって表した切断面の断面図である。
【００１８】
この物品取出装置１０は、ベーステープ２からカバーテープ３を剥離しつつ、そのベーステープ２からＩＣチップ６を順次取り出して、それらＩＣチップ６を受取機器９０に供給する。受取機器９０は例えば搬送機、マウンタ、包装機、埋込機、打錠機又は吸引機である。搬送機は、ＩＣチップ６を搬送する装置である。マウンタは、ＩＣチップ６を回路基板に実装する装置である。包装機は、ＩＣチップ６を包装する装置である。埋込機は、ＩＣチップ６を対象物に埋め込む装置である。打錠機は、ＩＣチップ６とともに粉を圧縮して、錠剤を成型する装置である。吸引機は、負圧によりＩＣチップ６を吸引するとともに保持する装置である。
【００１９】
この物品取出装置１０は、機枠１１、ガイド１２、剥離部材１３、押さえ部材１６、テープ送り機１９、第１のシャフト３１、傘歯車３４、第１の吸引ホイール４０、第１のベース体５０、第２のシャフト６１、傘歯車６４、モーター６５、第２の吸引ホイール７０及び第２のベース体８０等を備える。
【００２０】
３．  キャリアテープの搬送及び剥離
テープ送り機１９は、キャリアテープ１を長さ方向に送ることによって取出口１５の直前においてベーステープ２からカバーテープ３を剥離するとともに、剥離されたベーステープ２に取出口１５の下を左から右へ通過させる。ベーステープ２が取出口１５の下を通過するので、ＩＣチップ６が取出口１５に順次供給される。
【００２１】
テープ送り機１９は、供給源リール２０、繰出モーター２１、ガイドプーリー２２、スプロケット２３、ドライブモーター２４、第１の巻取リール２５、第１の巻取モーター２６、ガイドプーリー２７、第２の巻取リール２８及び第２の巻取モーター２９を有する。供給源リール２０、繰出モーター２１、ガイドプーリー２２、スプロケット２３、ドライブモーター２４、第１の巻取リール２５、第１の巻取モーター２６、ガイドプーリー２７及び第２の巻取リール２８の回転軸は何れも水平に設けられている。
【００２２】
ガイドプーリー２２が機枠１１の前部に回転可能に取り付けられている。ガイドプーリー２２の右方において、ドライブモーター２４が機枠１１に固定されている。ドライブモーター２４にはスプロケット２３が連結されて、ドライブモーター２４によってスプロケット２３が回転駆動される。
【００２３】
ガイドプーリー２２とスプロケット２３との間において、ガイド１２が機枠１１の前部に取り付けられている。ガイド１２の上には剥離部材１３及び押さえ部材１６が設けられている。剥離部材１３と押さえ部材１６は左右に離間しており、これらの間に取出口１５が形成されている。剥離部材１３の左上において、ガイドプーリー２７が機枠１１の前部に回転可能に取り付けられている。
【００２４】
リール２０は、ガイドプーリー２２の下方において繰出モーター２１に連結されている。キャリアテープ１は、リール２０から繰り出されて、ガイドプーリー２２に案内される。このキャリアテープ１は、ガイドプーリー２２からガイド１２と剥離部材１３の間の隙間を通って、取出口１５の下にまで水平に案内される。カバーテープ３が取出口１５の縁となる剥離部材１３の端部１４によって折り返されており、これによりカバーテープ３がベーステープ２から剥離される。
【００２５】
剥離されたカバーテープ３は、ガイドプーリー２７を経由して第２の巻取リール２８にまで案内される。
剥離されたベーステープ２は、剥離部材１３の端部１４の下からガイド１２と押さえ部材１６の間の隙間を通って、スプロケット２３に水平に案内される。更に、ベーステープ２は、スプロケット２３から第１の巻取リール２５にまで案内される。
【００２６】
スプロケット２３の歯がベーステープ２の送り穴５に噛み合う。スプロケット２３がドライブモーター２４によって回転駆動されることによって、キャリアテープ１、ベーステープ２及びカバーテープ３が搬送される。供給源リール２０が繰出モーター２１によって回転駆動されることによって、キャリアテープ１が供給源リール２０から引き出される。第１の巻取リール２５が第１の巻取モーター２６によって回転駆動されることによって、ベーステープ２が第１の巻取リール２５に巻き取られる。第２の巻取リール２８が第２の巻取モーター２９によって回転駆動されることによって、カバーテープ３が第２の巻取リール２８に巻き取られる。
【００２７】
キャリアテープ１、ベーステープ２及びカバーテープ３が搬送されることによって、ＩＣチップ６が取出口１５の下に順次供給される。ドライブモーター２４が制御部によって定速制御され、ドライブモーター２４の回転速度が一定である。そのため、キャリアテープ１、ベーステープ２及びカバーテープ３の搬送速度が一定であるとともに、ＩＣチップ６が一定周期で取出口１５に順次供給される。
【００２８】
４．  第１のシャフト、吸引ホイール及びベース体
第１のシャフト３１は、２体のベアリング３２によって取出口１５の後ろ側において機枠１１に回転可能に支持されている。第１のシャフト３１は、鉛直方向から取出口１５側へ４５°に傾斜している。つまり、第１のシャフト３１は、ベーステープ２に対して垂直な方向からベーステープ２の上面側へ４５°に傾斜しているとともに、ベーステープ２の幅方向に対して４５°に傾斜している。
【００２９】
第１のシャフト３１の上端が円盤状の第１の吸引ホイール４０の中央部に差し込まれている。保持具３３が第１のシャフト３１の上端に螺合する。これによって、第１の吸引ホイール４０が保持具３３により第１のシャフト３１に固定されている。第１の吸引ホイール４０は第１のシャフト３１に対して垂直に設けられている。つまり、第１の吸引ホイール４０の周を通る平面は第１のシャフト３１に対して垂直になっている。第１のシャフト３１の中心軸と第１の吸引ホイール４０の中心軸が同軸状に配置されている。第１のシャフト３１がベアリング３２によって回転可能に支持されているので、第１のシャフト３１の中心軸が第１のシャフト３１の回転軸となり、第１の吸引ホイール４０の中心軸が第１の吸引ホイール４０の回転軸となっている。
【００３０】
第１の吸引ホイール４０の回転軸及び第１のシャフト３１の回転軸が、鉛直方向からベーステープ２の上面側へ４５°に傾斜しているとともに、ベーステープ２の幅方向に対して４５°に傾斜している。従って、図３のように第１の吸引ホイール４０をベーステープ２の長さ方向に見た場合、第１の吸引ホイール４０は、ベーステープ２の長さ方向に対して平行且つベーステープ２に対して垂直な基準面に対して傾斜している。つまり、第１の吸引ホイール４０の周を通る平面が前記基準面に対して傾斜している。その基準面は鉛直面であり、その基準面に対する第１の吸引ホイール４０の傾斜角は４５°に設定されている。なお、この傾斜角をキャンバー角と称することもある。
【００３１】
第１の吸引ホイール４０の外周面４１は、頂点４１ａの頂角が９０°の裁頭円錐面状に形成されている。つまり、第１の吸引ホイール４０の外周面４１は、第１の吸引ホイール４０の回転軸から径方向外側に離れるとともにその回転軸に対して４５°に傾斜する線分を、第１の吸引ホイール４０の回転軸回りに回転することによって形作られた回転面形状に形成されている。前記線分は母線ともいい、前記線分の延長線と第１の吸引ホイール４０の回転軸は取出口１５の後ろ側において交差する。また、ベーステープ２を幅方向に延長させた延長面２ａは、裁頭円錐面の頂点４１ａを通る。
【００３２】
第１の吸引ホイール４０の外周面４１は取出口１５においてベーステープ２の上面に近接する。第１の吸引ホイール４０の回転軸を通る鉛直面と外周面４１との下側交線はベーステープ２の幅方向に対して平行であり、上側交線はベーステープ２に対して垂直である（図３参照）。
【００３３】
第１の吸引ホイール４０の外周面４１には、複数の吸着口４２が形成されている。これら吸着口４２は、第１の吸引ホイール４０の回転軸周りの周方向に等間隔で配列されている。第１の吸引ホイール４０の回転による吸着口４２の軌道は円形となり、図３に示す断面は吸着口４２の軌道の最下点と最上点を通る。
第１の吸引ホイール４０の外周面４１の周速度は、ベーステープ２の搬送速度に等しい。また、吸着口４２のピッチは、ベーステープ２に配列されたポケット４のピッチに等しい。従って、第１の吸引ホイール４０の回転中及びベーステープ２の搬送中、吸着口４２が軌道の最下点を通過するタイミングと、ポケット４が第１の吸引ホイール４０及び第１のシャフト３１の回転軸を通る鉛直面に交差するタイミングとは、同期する。そのため、その同期タイミングにおいて吸着口４２が取出口１５内のポケット４に対向する。
【００３４】
第１の吸引ホイール４０の下面には、吸着口４２と同数の通気口４３が形成されている。これら通気口４３は、第１の吸引ホイール４０の回転軸周りの周方向に等間隔で配列されている。
【００３５】
第１の吸引ホイール４０の内部には、吸着口４２及び通気口４３と同数の流路４４が形成されている。流路４４が通気口４３から吸着口４２にかけて径方向に延在して、流路４４の一端が通気口４３として開口し、流路４４の他端が吸着口４２として開口する。
【００３６】
第１の吸引ホイール４０はリング状の第１のベース体５０上に配置されている。第１のベース体５０が第１のシャフト３１の周囲に配置されているとともに、機枠１１に固定されている。そのため、第１の吸引ホイール４０が回転しても、第１のベース体５０が回転しない。
【００３７】
第１のベース体５０の上面には円弧状の負圧溝５１が形成されている。第１の吸引ホイール４０が負圧溝５１に被さっており、第１の吸引ホイール４０の下面が第１のベース体５０の上面に気密に接触している。負圧溝５１は配管５３を介して真空ポンプ等の空圧機器に接続され、この空圧機器によって負圧溝５１には負圧が付与される。
【００３８】
負圧溝５１は、第１のシャフト３１の回転軸を中心にして、取出口１５側から第１の吸引ホイール４０の回転の向きに取出口１５の反対側まで円弧状に形成されている。第１のシャフト３１の回転軸から負圧溝５１までの径は第１のシャフト３１の回転軸から通気口４３までの径に等しい。そのため、第１の吸引ホイール４０の回転によって通気口４３が負圧溝５１に沿って周方向に移動する。通気口４３が負圧溝５１に重なると、流路４４及び吸着口４２に負圧が付与される。吸着口４２が取出口１５の上に位置している場合、その吸着口４２に通じる通気口４３は負圧溝５１に重なっているので、取出口１５内にあるＩＣチップ６がその吸着口４２に吸着される。
【００３９】
第１のベース体５０には、正圧ポート５２が形成されている。この正圧ポート５２は配管５４を介してコンプレッサ等の空圧機器に接続され、この空圧機器によって正圧ポート５２には正圧が付与される。
【００４０】
正圧ポート５２は、負圧溝５１の一端部（その一端部は、取出口１５側とは反対側の端部である。）に周方向に隣接した位置に配置されている。第１のシャフト３１の回転軸から正圧ポート５２までの径は第１のシャフト３１の回転軸から通気口４３までの径に等しい。そのため、第１の吸引ホイール４０の回転によって通気口４３が正圧ポート５２の上を周方向に通過する。通気口４３が正圧ポート５２に重なると、流路４４及び吸着口４２に正圧が付与される。そのため、ＩＣチップ６が正圧によって吸着口４２から離脱する。
【００４１】
５．  第２のシャフト、吸引ホイール及びベース体
第２のシャフト６１は、ベアリング６２によって取出口１５の後ろ側において機枠１１に回転可能に支持されている。第２のシャフト６１の中心軸は第２のシャフト６１の回転となっている。第２のシャフト６１の中心軸は、鉛直に設けられているとともに、第１のシャフト３１の回転軸に対して４５°に傾斜する。第１のシャフト３１の回転軸と第２のシャフト６１の回転軸と正圧ポート５２は、同一の鉛直面、つまり図３に示す断面を通る。第２のシャフト６１の下部に傘歯車６４が設けられ、第１のシャフト３１の下部に傘歯車３４が設けられている。傘歯車６４と傘歯車３４が噛み合う。第２のシャフト６１、第１のシャフト３１、第１の吸引ホイール４０及び第２の吸引ホイール７０はモーター６５によって回転駆動される。モーター６５は制御部によって定速制御される。
【００４２】
第２のシャフト６１の上端には、第２の吸引ホイール７０が保持具６３によって固定されている。第２の吸引ホイール７０は第２のシャフト６１に対して垂直に設けられている。つまり第２の吸引ホイール７０の周を通る平面が第２のシャフト６１に対して垂直になっている。従って、第２の吸引ホイール７０の周を通る平面は、第１の吸引ホイール４０の周を通る平面に対して傾斜する。また、第２の吸引ホイール７０は、ベーステープ２の長さ方向及び幅方向に対して平行である。
第２のシャフト６１の中心軸と第２の吸引ホイール７０の中心軸が同軸状に配置されている。第２のシャフト６１の中心軸が第２のシャフト６１の回転軸となり、第２の吸引ホイール７０の中心軸が第２の吸引ホイール７０の回転軸となっている。
【００４３】
第２の吸引ホイール７０の外周面７１は円柱面状に形成されている。
【００４４】
この第２の吸引ホイール７０は、取出口１５内のベーステープ２よりも高い位置に配置されている（図３参照）。第２の吸引ホイール７０は、第１の吸引ホイール４０の後ろ側において第１の吸引ホイール４０に対して隣接する。また、第２の吸引ホイール７０の回転軸は、第１の吸引ホイール４０の回転軸を通る鉛直面と外周面４１との上側交線に対して平行である。第２の吸引ホイール７０の外周面７１は、前記上側交線に近接する。
【００４５】
第１の吸引ホイール４０に吸着口４２、通気口４３及び流路４４が形成されているのと同様にして、第２の吸引ホイール７０にも吸着口７２、通気口７３及び流路７４が形成されている。なお、吸引ホイール４０，７０の回転中、吸着口４２が第１のシャフト３１の回転軸と第２のシャフト６１の回転軸とを通る鉛直面に交差するタイミングと、吸着口７２が第１のシャフト３１の回転軸と第２のシャフト６１の回転軸とを通る鉛直面に交差するタイミングとは、同期する。そのため、その同期タイミングにおいて吸着口４２と吸着口７２が対向する。
【００４６】
第２の吸引ホイール７０はリング状の第２のベース体８０上に配置されている。第２のベース体８０が第２のシャフト６１の周囲に配置されているとともに、機枠１１に固定されている。
【００４７】
第２のベース体８０の上面には円弧状の負圧溝８１が形成されている。第２の吸引ホイール７０が負圧溝８１に被さっており、第２の吸引ホイール７０の下面が第２のベース体８０の上面に気密に接触している。負圧溝８１は配管８３を介して真空ポンプ等の空圧機器に接続され、この空圧機器によって負圧溝８１には負圧が付与される。
【００４８】
負圧溝８１は、第２のシャフト６１の回転軸を中心にして、正圧ポート５２側から第２の吸引ホイール７０の回転の向きに受取機器９０側まで円弧状に形成されている。通気口７３が負圧溝８１に重なると、流路７４及び吸着口７２に負圧が付与される。吸着口７２が吸着口４２に対向している場合、その吸着口４２に通じる通気口４３が正圧ポート５２に重なり、その吸着口７２に通じる通気口７３が負圧溝８１に重なっている。そのため、ＩＣチップ６が吸着口４２から吸着口７２に飛び移って、そのＩＣチップ６がその吸着口７２に吸着される。
【００４９】
第２のベース体８０には、正圧ポート８２が形成されている。この正圧ポート８２は配管８４を介してコンプレッサ等の空圧機器に接続され、この空圧機器によって正圧ポート８２には正圧が付与される。
【００５０】
正圧ポート８２は、負圧溝８１の一端部（その一端部は、受取機器９０側の端部である。）に周方向に隣接した位置に配置されている。第２の吸引ホイール７０の回転によって通気口７３が正圧ポート８２の上を周方向に通過する。通気口７３が正圧ポート８２に重なると、流路７４及び吸着口７２に正圧が付与される。そのため、ＩＣチップ６が正圧によって吸着口７２から受取機器９０に受け渡される。
【００５１】
６．  物品取出装置の動作
スプロケット２３がドライブモーター２４によって回転駆動されることによって、キャリアテープ１、ベーステープ２及びカバーテープ３が一定速度で搬送される。キャリアテープ１が搬送されることによって、カバーテープ３が剥離部材１３の端部１４によってベーステープ２から剥離される。剥離されたベーステープ２は第１の巻取モーター２６によって第１の巻取リール２５に巻き取られる。剥離されたカバーテープ３は第２の巻取モーター２９によって第２の巻取リール２８に巻き取られる。
【００５２】
キャリアテープ１、ベーステープ２及びカバーテープ３の搬送中、モーター６５によって吸引ホイール４０，７０が回転駆動される。吸引ホイール４０，７０の回転中は、負圧溝５１，８１に負圧が付与され、正圧ポート５２，８２に正圧が付与される。
【００５３】
カバーテープ３の搬送によって、ポケット４が、第１のシャフト３１の回転軸を通る鉛直面を、つまり図３の断面を順次通過する。第１の吸引ホイール４０の回転によって、吸着口４２が軌道の最下点を順次通過する。吸着口４２が軌道の最下点を通過するタイミングとポケット４が図３の断面を通過するタイミングとが同期する。従って、吸着口４２とポケット４が図３の断面に通過する時には、吸着口４２とポケット４が対向する。そうすると、ポケット４内のＩＣチップ６が吸着口４２の負圧によって吸着口４２に吸着されて、これによりＩＣチップ６がポケット４から取り出される。順次取り出されたＩＣチップ６は第１の吸引ホイール４０の回転によって旋回される。
【００５４】
シャフト３１の回転軸を中心にして取出口１５から１８０°の位置においては、吸着口４２が軌道の最上点を通過するタイミングと、吸着口７２が図３の断面を通過するタイミングとが同期する。従って、吸着口４２と吸着口７２が図３の断面に通過する時には、吸着口４２と吸着口７２が対向する。そうすると、第１の吸引ホイール４０によって１８０°旋回したＩＣチップ６は、吸着口４２の正圧によって吸着口４２から離脱するとともに、吸着口７２の負圧によって吸着口７２に吸着される。これにより、ＩＣチップ６が吸着口４２から吸着口７２に受け渡される。順次受け渡されたＩＣチップ６は第２の吸引ホイール７０の回転によって旋回される。１８０°旋回したＩＣチップ６は、吸着口７２の正圧によって吸着口７２から離脱して、受取機器９０に受け渡される。
【００５５】
７．  有利な効果
（１）  第１のシャフト３１は、ベーステープ２に対して垂直な方向からベーステープ２の上面側に傾斜している。これにより、第１の吸引ホイール４０は、図３に示すように、ベーステープ２の長さ方向に対して平行且つベーステープ２に対して垂直な基準面に対して傾斜している。
そのため、図１のように第１の吸引ホイール４０をベーステープ２の幅方向に見た場合、第１の吸引ホイール４０の周は、上下方向を短径とし、ベーステープ２の長さ方向を長径とした楕円状となる。つまり、図１のように第１の吸引ホイール４０をベーステープ２の幅方向に見た場合、吸着口４２の軌道が楕円状となる。
それゆえ、吸着口４２は、ベーステープ２の長さ方向を基準として浅い角度で最下点を周方向に通過する。つまり、吸着口４２とポケット４が対向する際に、吸着口４２の上下方向の変位の時間的変化率が小さくなる。よって、ＩＣチップ６に吸着口４２に吸着されやすく、ＩＣチップ６がポケット４から取り出されない確率が低くなる。
【００５６】
（２）  第１の吸引ホイール４０の外周面４１が裁頭円錐面に形成されている。また、ベーステープ２を幅方向に延長させた延長面２ａは、その裁頭円錐面の頂点４１ａを通る。
そのため、吸着口４２が軌道の最下点を通過する時、その吸着口４２がポケット４に正対する。よって、ＩＣチップ６に吸着口４２に吸着されやすく、ＩＣチップ６がポケット４から取り出されない確率が低くなる。
【００５７】
（３）  第１のシャフト３１は、ベーステープ２に対して垂直な方向からベーステープ２側に４５°に傾斜するとともに、ベーステープ２の幅方向に対して４５°に傾斜する。更に、外周面４１の形状たる裁頭円錐面の頂点４１ａの頂角が９０°である。
そのため、吸着口４２が軌道の最下点を通過する時、その吸着口４２が下方に向くと共に、ポケット４に正対する。よって、ＩＣチップ６が吸着口４２に吸着されやすく、ＩＣチップ６がポケット４から取り出されない確率が低くなる。
一方、吸着口４２が軌道の最上点を通過する時、その吸着口４２が後方に向く。よって、吸着口４２が軌道の最上点を通過する時、ＩＣチップ６を後方へ受け渡しやすい。特に第２の吸引ホイール７０の外周面７１が円柱面状であるので、吸着口４２が軌道の最上点を通過する時、吸着口４２と吸着口７２が正対する。よって、ＩＣチップ６が吸着口４２から吸着口７２に受け渡されない確率が低くなる。
【００５８】
８．  変形例
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。
【００５９】
（１）  以上の実施の形態では、モーター６５が第２のシャフト６１に連結されている。それに対して、モーター６５が第１のシャフト３１に連結されてもよい。また、傘歯車３４，６４を用いず、第１のシャフト３１と第２のシャフト６１が別々の動力源によって回転駆動されてもよい。また、モーター６５がシャフト３１，６１に直接連結されておらず、モーター６５の動力が歯車機構、ベルト伝動機構又はチェーン伝動機構によってシャフト３１，６１に伝達されるものとしてもよい。
【００６０】
（２）  キャリアテープ１のポケット４に収容されたものはＩＣチップ６に限るものではない。例えば、能動素子、受動素子その他の電子部品がポケット４に収容されてもよいし、電子部品以外の小片がポケット４に収容されてもよい。
【符号の説明】
【００６１】
２…ベーステープ（テープ）
２ａ…延長面
１０…物品取出装置
１９…テープ送り機
３１…第１のシャフト（シャフト）
４０…第１の吸引ホイール（吸引ホイール）
４１…外周面
４１ａ…頂点
４２…吸着口
６５…モーター（駆動部）
【図１】
2019131362.tif 000003
【図２】
2019131362.tif 000004
【図３】
2019131362.tif 000005
【図４】
2019131362.tif 000006
【図５】
2019131362.tif 000007